(57)【特許請求の範囲】
【請求項１】
第１の無線アクセス規格に関して標準化された第１の複数の帯域幅の１つを制御チャネルに割り当てるステップと、
粒度及び範囲の少なくとも一方に関して前記第１の複数の帯域幅を上回る、第２の無線アクセス規格に関して標準化された第２の複数の帯域幅の１つをデータチャネルに割り当てるステップと、
前記割り当てられた制御チャネルと前記割り当てられたデータチャネルとを用いて、前記第１の無線アクセス規格及び前記第２の無線アクセス規格内の動作を同時にサポートするステップと、
前記第２の無線アクセス規格によりサポートされる前記第２の複数の帯域幅の帯域幅領域内の前記割り当て済みのデータチャネルにおけるリソース割り当てのための制御情報を、少なくとも前記割り当て済みの制御チャネル及び前記割り当て済みのデータチャネルに挿入するステップと
を含み、
前記制御情報は、前記第２の無線アクセス規格に準拠して前記第１の無線アクセス規格によるリソース割り当て制御方式に適合しない端末のための情報である
ことを特徴とする方法。
【請求項２】
前記割り当てたデータチャネルの帯域幅領域に端末をスケジューリングするステップをさらに含み、前記第１の無線アクセス規格に準拠する端末を、前記第１の無線アクセス規格によりサポートされる前記第１の複数の帯域幅の帯域幅領域にスケジューリングし、前記第２の無線アクセス規格に準拠する端末を、前記第２の無線アクセス規格によりサポートされる前記第２の複数の帯域幅の帯域幅領域にスケジューリングする、
ことを特徴とする請求項１に記載の方法。
【請求項３】
前記データチャネルの割り当てが、前記第２の複数の帯域幅のうちの前記１つの割り当て済みの帯域幅を、利用可能な帯域幅スペクトルに調整するステップを含む、
ことを特徴とする請求項１又は請求項２に記載の方法。
【請求項４】
前記データチャネルの割り当てが、スケジューリングすべき端末固有の制御情報を、前記第１の無線アクセス規格によりサポートされる前記第１の複数の帯域幅の帯域幅領域内の少なくとも前記割り当て済みの制御チャネルに含めるステップを含む、
ことを特徴とする請求項１から請求項３のいずれか１項に記載の方法。
【請求項５】
前記第１の無線アクセス規格に準拠する端末、又は前記第２の無線アクセス規格に準拠して前記第１の無線アクセス規格によるリソース割り当て制御方式に適合する端末の前記制御情報を含めるステップが、前記第１の無線アクセス規格によりサポートされる前記第１の複数の帯域幅の帯域幅領域内の前記割り当て済みのデータチャネルにおけるリソース割り当てのための前記制御情報を、前記割り当て済みの制御チャネルに挿入するステップを含む、
ことを特徴とする請求項４に記載の方法。
【請求項６】
前記第２の無線アクセス規格に準拠して前記第１の無線アクセス規格によるリソース割り当て制御方式に適合しない端末の前記制御情報を含めるステップが、前記第２の無線アクセス規格によりサポートされる前記第２の複数の帯域幅の帯域幅領域内の前記割り当て済みのデータチャネルにおけるリソース割り当てのための前記制御情報を、前記割り当て済みの制御チャネルに挿入するステップを含む、
ことを特徴とする請求項４又は請求項５に記載の方法。
【請求項７】
前記制御情報が、前記割り当て済みの制御チャネルで利用できるリソースよりも多くのリソースを必要とする場合、アンカーとして機能する前記制御情報の第１の部分を前記制御チャネルに挿入し、前記アンカーが参照する補強として機能する前記制御情報の第２の部分を前記データチャネルに挿入する、
ことを特徴とする請求項１に記載の方法。
【請求項８】
前記制御情報の第２の部分を、前記制御チャネルに直接続く前記データチャネルの第１の変調記号に挿入する、
ことを特徴とする請求項７に記載の方法。
【請求項９】
請求項２を参照した場合、前記スケジューリングが、前記含められた制御情報に基づく、
ことを特徴とする請求項４から請求項８のいずれか１項に記載の方法。
【請求項１０】
前記方法が、進化型無線アクセスネットワークで動作できる、
ことを特徴とする請求項１から請求項９のいずれか１項に記載の方法。
【請求項１１】
前記第１の無線アクセス規格がロングタームエボリューション仕様のリリース８に基づき、及び／又は前記第２の無線アクセス規格がロングタームエボリューション仕様のリリース９又は改良型に基づく、
ことを特徴とする請求項１から請求項１０のいずれか１項に記載の方法。
【請求項１２】
前記制御チャネルがダウンリンク制御チャネルであり、前記データチャネルがダウンリンクデータチャネルである、
ことを特徴とする請求項１から請求項１１のいずれか１項に記載の方法。
【請求項１３】
前記制御チャネルが、物理ダウンリンク制御チャネル（ＰＤＣＣＨ）、物理ハイブリッドインジケータチャネル（ＰＨＩＣＨ）、及び物理制御フォーマットインジケータチャネル（ＰＣＦＩＣＨ）のうちの少なくとも１つであり、前記データチャネルが、物理ダウンリンク共有チャネル（ＰＤＳＣＨ）及び物理マルチキャストチャネル（ＰＭＣＨ）の少なくとも一方である、
ことを特徴とする請求項１から請求項１２のいずれか１項に記載の方法。
【請求項１４】
第１の無線アクセス規格に関して標準化された第１の複数の帯域幅の１つを制御チャネルに割り当てるように構成された制御チャネルリソースアロケータと、
粒度及び範囲の少なくとも一方に関して前記第１の複数の帯域幅を上回る、第２の無線アクセス規格に関して標準化された第２の複数の帯域幅の１つをデータチャネルに割り当てるように構成されたデータチャネルリソースアロケータと、
前記割り当てられた制御チャネルと前記割り当てられたデータチャネルとを用いて、前記第１の無線アクセス規格及び前記第２の無線アクセス規格内の動作を同時にサポートするように構成されたプロセッサと、
前記データチャネルアロケータが、スケジューリングすべき端末に固有の制御情報を、前記第１の無線アクセス規格によりサポートされる前記第１の複数の帯域幅の帯域幅領域内の少なくとも前記割り当て済みの制御チャネルに含めるように構成されたインクルーダと
を含み、
前記インクルーダが、前記第２の無線アクセス規格に準拠して前記第１の無線アクセス規格によるリソース割り当て制御方式に適合しない端末に関して、前記第２の無線アクセス規格によりサポートされる前記第２の複数の帯域幅の帯域幅領域内の前記割り当て済みのデータチャネルにおけるリソース割り当てのための制御情報を、前記割り当て済みの制御チャネル及び前記割り当て済みのデータチャネルに挿入するように構成された第３のインサータを含むことを特徴とする装置。
【請求項１５】
前記割り当て済みのデータチャネルの帯域幅領域に端末をスケジューリングするように構成されたスケジューラをさらに含み、該スケジューラが、前記第１の無線アクセス規格に準拠する端末を、前記第１の無線アクセス規格によりサポートされる前記第１の複数の帯域幅の帯域幅領域にスケジューリングし、前記第２の無線アクセス規格に準拠する端末を、前記第２の無線アクセス規格によりサポートされる前記第２の複数の帯域幅の帯域幅領域にスケジューリングするように構成される、
ことを特徴とする請求項１４に記載の装置。
【請求項１６】
前記データチャネルアロケータが、前記第２の複数の帯域幅のうちの前記１つの割り当て済みの帯域幅を、利用可能な帯域幅スペクトルに調整するように構成されたアジャスタを含む、
ことを特徴とする請求項１４又は請求項１５に記載の装置。
【請求項１７】
前記インクルーダが、前記第１の無線アクセス規格に準拠する端末、又は前記第２の無線アクセス規格に準拠して前記第１の無線アクセス規格によるリソース割り当て制御方式に適合する端末に関して、前記第１の無線アクセス規格によりサポートされる前記第１の複数の帯域幅の帯域幅領域内の前記割り当て済みのデータチャネルにおけるリソース割り当てのための制御情報を、前記割り当て済みの制御チャネルに挿入するように構成された第１のインサータを含む、
ことを特徴とする請求項１４に記載の装置。
【請求項１８】
前記インクルーダが、前記第２の無線アクセス規格に準拠して前記第１の無線アクセス規格によるリソース割り当て制御方式に適合しない端末に関して、前記第２の無線アクセス規格によりサポートされる前記第２の複数の帯域幅の帯域幅領域内の前記割り当て済みのデータチャネルにおけるリソース割り当てのための制御情報を、前記割り当て済みの制御チャネルに挿入するように構成された第２のインサータを含む、
ことを特徴とする請求項１４から請求項１７のいずれか１項に記載の装置。
【請求項１９】
前記制御情報が、前記割り当て済みの制御チャネルで利用できるリソースよりも多くのリソースを必要とする場合、前記第３のインサータが、アンカーとして機能する前記制御情報の第１の部分を前記制御チャネルに挿入し、前記アンカーが参照する補強として機能する前記制御情報の第２の部分を前記データチャネルに挿入するように構成される、
ことを特徴とする請求項１４に記載の装置。
【請求項２０】
前記第３のインサータが、前記制御チャネルに直接続く前記データチャネルの第１の変調記号に前記制御情報の第２の部分を挿入するように構成される、
ことを特徴とする請求項１９に記載の装置。
【請求項２１】
請求項１５を参照した場合、前記スケジューラが、前記含められた制御情報に基づいて前記スケジューリングを行うように構成される、
ことを特徴とする請求項１４から請求項２０のいずれか１項に記載の装置。
【請求項２２】
前記装置が、進化型無線アクセスネットワーク内の基地局及び進化型無線アクセスノードの少なくとも一方を含む、
ことを特徴とする請求項１４から請求項２１のいずれか１項に記載の装置。
【請求項２３】
前記第１の無線アクセス規格がロングタームエボリューション仕様のリリース８に基づき、及び／又は前記第２の無線アクセス規格がロングタームエボリューション仕様のリリース９又は改良型に基づく、
ことを特徴とする請求項１４から請求項２２のいずれか１項に記載の装置。
【請求項２４】
前記制御チャネルがダウンリンク制御チャネルであり、前記データチャネルがダウンリンクデータチャネルである、
ことを特徴とする請求項１４から請求項２３のいずれか１項に記載の装置。
【請求項２５】
前記制御チャネルが、物理ダウンリンク制御チャネル（ＰＤＣＣＨ）、物理ハイブリッドインジケータチャネル（ＰＨＩＣＨ）、及び物理制御フォーマットインジケータチャネル（ＰＣＦＩＣＨ）のうちの少なくとも１つであり、前記データチャネルが、物理ダウンリンク共有チャネル（ＰＤＳＣＨ）及び物理マルチキャストチャネル（ＰＭＣＨ）の少なくとも一方である、
ことを特徴とする請求項１４から請求項２４のいずれか１項に記載の装置。
【請求項２６】
装置のプロセッサ上で実行されたときに、請求項１から請求項１３のいずれか１項に記載の方法を実施するように構成された少なくとも１つのプログラムコード手段を記録した、
ことを特徴とする、プロセッサで読込可能な媒体。
【請求項２７】
第１の無線アクセス規格に関して標準化された第１の複数の帯域幅の１つを割り当てられた制御チャネルを受信するステップと、
粒度及び範囲の少なくとも一方に関して前記第１の複数の帯域幅を上回る、第２の無線アクセス規格に関して標準化された第２の複数の帯域幅の１つを割り当てられたデータチャネル上のデータチャネルの割り当てを、前記受信した制御チャネルにおいて確認するステップと、
前記確認したデータチャネルの割り当てに基づいて前記データチャネル上のデータ送信動作を制御するステップと、
を含み、
前記データチャネルの割り当ての確認が、前記第１の無線アクセス規格によりサポートされる前記第１の複数の帯域幅の帯域幅領域内の少なくとも前記受信した制御チャネルにおける制御情報を取得するステップを含み、
アンカーとして機能する前記取得した制御情報の第１の部分が前記制御チャネル内に存在し、前記アンカーが参照する補強として機能する前記制御情報の第２の部分が前記データチャネル内に存在する場合、
前記制御チャネル内の前記取得した前記制御情報の第１の部分に基づいて、前記第１の無線アクセス規格によりサポートされる前記第１の複数の帯域幅の帯域幅領域における部分的なデータチャネルの割り当てを決定するステップと、
前記データチャネル内の前記取得した前記制御情報の第２の部分に基づいて、前記第２の無線アクセス規格によりサポートされる前記第２の複数の帯域幅の帯域幅領域における完全なデータチャネルの割り当てを決定するステップと、
を含むことを特徴とする方法。
【請求項２８】
前記取得した制御情報が前記制御チャネル内に存在する場合、前記制御チャネル内の前記取得した制御情報に基づいて前記データチャネルの割り当てを決定するステップを含む、
ことを特徴とする請求項２７に記載の方法。
【請求項２９】
前記制御情報の前記第２の部分を、前記制御チャネルに直接続く前記データチャネルの第１の変調記号に挿入する、
ことを特徴とする請求項２７に記載の方法。
【請求項３０】
前記方法が、進化型無線アクセスネットワークで動作できる、
ことを特徴とする請求項２７から請求項２９のいずれか１項に記載の方法。
【請求項３１】
前記第１の無線アクセス規格がロングタームエボリューション仕様のリリース８に基づき、及び／又は前記第２の無線アクセス規格がロングタームエボリューション仕様のリリース９又は改良型に基づく、
ことを特徴とする請求項２７から請求項３０のいずれか１項に記載の方法。
【請求項３２】
前記制御チャネルがダウンリンク制御チャネルであり、前記データチャネルがダウンリンクデータチャネルである、
ことを特徴とする請求項２７から請求項３１のいずれか１項に記載の方法。
【請求項３３】
前記制御チャネルが、物理ダウンリンク制御チャネル（ＰＤＣＣＨ）、物理ハイブリッドインジケータチャネル（ＰＨＩＣＨ）、及び物理制御フォーマットインジケータチャネル（ＰＣＦＩＣＨ）のうちの少なくとも１つであり、前記データチャネルが、物理ダウンリンク共有チャネル（ＰＤＳＣＨ）及び物理マルチキャストチャネル（ＰＭＣＨ）の少なくとも一方である、
ことを特徴とする請求項２７から請求項３２のいずれか１項に記載の方法。
【請求項３４】
装置であって、
第１の無線アクセス規格に関して標準化された第１の複数の帯域幅の１つを割り当てられた制御チャネルを受信するように構成された受信機と、
粒度及び範囲の少なくとも一方に関して前記第１の複数の帯域幅を上回る、第２の無線アクセス規格に関して標準化された第２の複数の帯域幅の１つを割り当てられたデータチャネル上のデータチャネルの割り当てを、前記受信した制御チャネルにおいて確認するように構成された確認器と、
前記確認したデータチャネルの割り当てに基づいて前記データチャネル上の前記装置のデータ送信動作を制御するように構成されたコントローラと
を含み、
前記確認器は、前記第１の無線アクセス規格によりサポートされる前記第１の複数の帯域幅の帯域幅領域内の少なくとも前記受信した制御チャネルにおける制御情報を取得するように構成された取得器を含み、
前記装置は、前記取得した制御情報に基づいて前記データチャネルの割り当てを決定するように構成された第２の決定器をさらに含み、該第２の決定器が、アンカーとして機能する前記取得した制御情報の第１の部分が前記制御チャネル内に存在し、前記アンカーが参照する補強として機能する前記制御情報の第２の部分が前記データチャネル内に存在する場合、前記制御チャネル内の前記取得した前記制御情報の第１の部分に基づいて、前記第１の無線アクセス規格によりサポートされる前記第１の複数の帯域幅の帯域幅領域における部分的なデータチャネルの割り当てを決定し、前記データチャネル内の前記取得した前記制御情報の第２の部分に基づいて、前記第２の無線アクセス規格によりサポートされる前記第２の複数の帯域幅の帯域幅領域における完全なデータチャネルの割り当てを決定するように構成される、
ことを特徴とする装置。
【請求項３５】
前記取得した制御情報に基づいて前記データチャネルの割り当てを決定するように構成された第１の決定器をさらに含み、該第１の決定器が、前記取得した制御情報が前記制御チャネル内に存在する場合、前記制御チャネル内の前記取得した制御情報に基づいて前記データチャネルの割り当てを決定するように構成される、
ことを特徴とする請求項３４に記載の装置。
【請求項３６】
前記装置が、進化型無線アクセスネットワーク内の移動局及び進化型ユーザ装置の少なくとも一方を含む、
ことを特徴とする請求項３４又は請求項３５に記載の装置。
【請求項３７】
前記第１の無線アクセス規格がロングタームエボリューション仕様のリリース８に基づき、及び／又は前記第２の無線アクセス規格がロングタームエボリューション仕様のリリース９又は改良型に基づく、
ことを特徴とする請求項３４から請求項３６のいずれか１項に記載の装置。
【請求項３８】
前記制御チャネルがダウンリンク制御チャネルであり、前記データチャネルがダウンリンクデータチャネルである、
ことを特徴とする請求項３４から請求項３７のいずれか１項に記載の装置。
【請求項３９】
前記制御チャネルが、物理ダウンリンク制御チャネル（ＰＤＣＣＨ）、物理ハイブリッドインジケータチャネル（ＰＨＩＣＨ）、及び物理制御フォーマットインジケータチャネル（ＰＣＦＩＣＨ）のうちの少なくとも１つであり、前記データチャネルが、物理ダウンリンク共有チャネル（ＰＤＳＣＨ）及び物理マルチキャストチャネル（ＰＭＣＨ）の少なくとも一方である、
ことを特徴とする請求項３４から請求項３８のいずれか１項に記載の装置。
【請求項４０】
装置のプロセッサ上で実行されたときに、請求項２７から請求項３３のいずれか１項に記載の方法を実施するように構成された少なくとも１つのプログラムコード手段を記録した、
ことを特徴とする、プロセッサで読込可能な媒体。
【発明の詳細な説明】
【技術分野】
【０００１】
本発明は、一般に粒度が高く後方互換性のあるリソース割り当てに関する。特に、本発明は、無線アクセスネットワーク環境における粒度が高く後方互換性のあるリソース割り当てに関する。
【背景技術】
【０００２】
（例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＧＰＲＳ（汎用パケット無線サービス）、ＵＭＴＳ（ユニバーサル移動体電気通信システム）のような）移動体通信システムなどの無線通信システムの開発においては、これらのシステムの無線アクセス部分を進化させるための努力が行われている。これに関して、現在のところ（例えば、ＧＳＭ  ＥＤＧＥ無線アクセスネットワーク（ＧＥＲＡＮ）及びユニバーサル地上無線アクセスネットワーク（ＵＴＲＡＮ）などの）無線アクセスネットワークの進化が、調査及び開発並びに標準化において取り組まれている。したがって、このような向上した無線アクセスネットワークは、（例えば、進化型ユニバーサル地上無線アクセスネットワーク（Ｅ−ＵＴＲＡＮ）などの）進化型無線アクセスネットワークとして、又はロングタームエボリューション（ＬＴＥ）の一部として示されることがある。このような呼称は、主に３ＧＰＰ（第３世代パートナシッププロジェクト）用語に由来するものであるが、以下におけるこれらの使用は、それぞれの説明を３ＧＰＰ用語に限定するものではなく、むしろ一般に、特定の基礎となるシステムアーキテクチャに関わらずあらゆる種類の無線アクセスの進化を意味するものである。
【０００３】
以下の説明では、理解を容易にするために、本発明及びその実施形態との関連において使用できる無線アクセスネットワークの非限定的な例としてＬＴＥ（３ＧＰＰ用語によるロングタームエボリューション）を取り上げる。とは言うものの、以下で説明する同様の機能及び特徴を示す限り、あらゆる種類の無線アクセスネットワークを同様に利用することができる。
【０００４】
ＬＴＥにおける無線インターフェイス（又はＥ−ＵＴＲＡＮ）は、広帯域無線アクセス（又は他のその無線アクセス技術）に適用可能な１つの例示的な変調方式である直交周波数分割多元接続（ＯＦＤＭＡ）に基づく。ＬＴＥ（又はＥ−ＵＴＲＡＮ）無線インターフェイスのダウンリンク方向では、ダウンリンクデータチャネルとして、物理ダウンリンク共有チャネル（ＰＤＳＣＨ）及び物理マルチキャストチャネル（ＰＭＣＨ）、またダウンリンク制御チャネルとして、物理ダウンリンク制御チャネル（ＰＤＣＣＨ）、物理制御フォーマットインジケータチャネル（ＰＣＦＩＣＨ）、物理ハイブリッドインジケータチャネル（ＰＨＩＣＨ）、物理ブロードキャストチャネル（ＰＢＣＨ）、及び一次及び二次同期チャネル（ＳＣＨ）が定義されている。ＬＴＥ（又はＥ−ＵＴＲＡＮ）無線インターフェイスのアップリンク方向では、とりわけ物理アップリンク共有チャネル（ＰＵＳＣＨ）及び物理アップリンク制御チャネル（ＰＵＣＣＨ）が定義されている。
【０００５】
以下では、主にダウンリンクの例について詳細に説明しているが、これに関して説明する原理は、アップリンクの場合における対応するアップリンクチャネルにも同様に適用可能である。
【０００６】
ダウンリングチャネルタイプのリソースマッピングはダウンリンクのシステム帯域幅（Ｎ＿ＤＬ＿ＲＢ）に依存し、これは構成パラメータとして使用できるとともに、多元接続方式のためのリソースグリッドを構成するダウンリンクリソースブロック（ＲＢ）の利用可能な数を表す。
【０００７】
本ＬＴＥ例によれば、物理制御フォーマットインジケータチャネル（ＰＣＦＩＣＨ）を使用して、ＰＤＣＣＨ制御チャネルによる制御シグナリングに使用するＯＦＤＭ記号の数（すなわち、１、２、又は３）をブロードキャストする。ＰＣＦＩＣＨ情報は、１６個のＱＰＳＫ変調記号（ＱＰＳＫ：４相位相変調）に符号化された３２ビットで構成され、これがサブフレームの最初のＯＦＤＭ記号の形で４つの記号の４つ組として（連続副搬送波の）４つのリソース要素（ＲＥ）グループにマップされ、これらのリソース要素グループは、周波数次元において互いに等距離にある。４つのリソース要素グループの位置は、ＰＣＦＩＣＨ制御チャネルのリソースマッピングによって基本的に全ての考えられるリソース要素グループの位置に到達できるように物理セル識別子によって異なる。ＰＣＦＩＣＨリソースマッピングの詳細については、仕様書  ３ＧＰＰ  ＴＳ３６．２１１ｖ８．３．０、６．７．４章を参照されたい。
【０００８】
この結果、現行の仕様に基づくＰＣＦＩＣＨ制御チャネルは、実際に完全な搬送波周波数スペクトルに及ぶ。
【０００９】
本ＬＴＥ例によれば、物理ハイブリッドインジケータチャネル（ＰＨＩＣＨ）は、アップリンク送信に対応する、すなわちアップリンクハイブリッド自動反復要求（ＨＡＲＱ）のための肯定応答及び否定応答（ＡＣＫ／ＮＡＫ）を含む。ＰＨＩＣＨは、ダウンリンクシステム帯域幅（Ｎ＿ＤＬ＿ＲＢ）、ＰＣＦＩＣＨ制御チャネルによって既にカバーされているリソース要素グループ、ハイブリッドＡＲＱグループインデックス、物理セル識別子、及びフレーム構造に依存する位置にある３つのリソース要素（ＲＥ）グループに割り当てられる。通常の割り当てを仮定した場合、ＰＨＩＣＨは、最初のＯＦＤＭ記号、又は個々のサブフレーム内の最初の３つのＯＦＤＭ記号に割り当てられ、搬送波帯域幅にわたって３つの部分に広がる。ＰＨＩＣＨリソースマッピングの詳細については、仕様書３ＧＰＰ  ＴＳ３６．２１１ｖ８．３．０、６．９．３章を参照されたい。
【００１０】
この結果、現行の仕様に基づくＰＨＩＣＨ制御チャネルは、実際に完全な搬送波周波数スペクトルに及ぶ。
【００１１】
本ＬＴＥ例によれば、物理ダウンリンク制御チャネル（ＰＤＣＣＨ）が、アップリンク及びダウンリンク制御情報、すなわちスケジューリング割り当てを含む。これらのユーザ装置固有の制御情報により、（ＰＤＳＣＨなどの）データチャネル上の割り当てが、それぞれのユーザ装置のために定義される。ＰＤＣＣＨは、制御チャネル要素（ＣＣＥ）から構築され、（ＰＣＦＩＣＨ及びＰＨＩＣＨ制御チャネルが使用するリソースを除き）サブフレームの最初から最初の３つまでのＯＦＤＭ記号のために構成されるダウンリンクシステム帯域幅（Ｎ＿ＤＬ＿ＲＢ）全体にマップする。現行の仕様によれば、４つの異なる制御チャネル要素（ＣＣＥ）集約レベル（すなわち、それぞれのＰＤＣＣＨフォーマットタイプに関連する４つの異なる数のＣＣＥ、すなわち１、２、４、又は８）を示す４つのＰＤＣＣＨフォーマットタイプが存在する。ＰＤＣＣＨリソースマッピングの詳細については、仕様書３ＧＰＰ  ＴＳ３６．２１１ｖ８．３．０、６．８．５章を参照されたい。
【００１２】
結果として、現行の仕様に基づくＰＤＣＣＨ制御チャネルは、ユーザ装置によるブラインド復号をサポートするために、（ユーザ装置の識別子に応じて）完全な搬送波周波数スペクトルにわたって分散される。
【００１３】
考えられるサブフレーム内でスケジューリングされる個々のユーザ装置は、ダウンリンクであるか又はアップリンクであるかに関わらず、ＰＤＣＣＨ制御チャネル内のダウンリンク制御情報（ＤＣＩ）要素を必要とする。ＤＣＩ要素のサイズは、ＤＣＩフォーマット、ダウンリンク及びアップリンク帯域幅構成（Ｎ＿ＤＬ＿ＲＢ及びＮ＿ＵＬ＿ＲＢ）、並びにリソースサイズパラメータＰに依存する。以下の説明では、現在指定されているＤＣＩフォーマット及びサイズを要約している。
フォーマット０
スケジューリング／制御目的：ＰＵＳＣＨ
バリエーションパラメータ：Ｎ＿ＵＬ＿ＲＢ
フォーマット１、１Ａ、１Ｂ、１Ｃ
フォーマット１のスケジューリング／制御目的：ＰＤＳＣＨ  ＳＩＭＯ、ＴＸダイバーシティ、ビームフォーミング
フォーマット１Ａのスケジューリング／制御目的：コンパクトＰＤＳＣＨシングルアンテナ、ＴＸダイバーシティ、ビームフォーミング
フォーマット１Ｂのスケジューリング／制御目的：ＰＤＳＣＨクローズドループＴＸダイバーシティ
フォーマット１Ｃのスケジューリング／制御目的：ＢＣＣＨ、ＲＡＣＨのためのスケジューリンググラント、及びページング応答
バリエーションパラメータ：Ｎ＿ＤＬ＿ＲＢｓ、Ｐ
フォーマット２、２Ａ
スケジューリング／制御目的：ＰＤＳＣＨオープンループ／クローズドループ空間多重化
バリエーションパラメータ：Ｎ＿ＤＬ＿ＲＢｓ、Ｐ
フォーマット３、３Ａ
フォーマット３のスケジューリング／制御目的：ＰＵＣＣＨ／ＰＵＳＣＨ上の２ビットパワー制御のためのＴＰＣ
フォーマット３Ａのスケジューリング／制御目的：ＰＵＣＣＨ／ＰＵＳＣＨ上の１ビットパワー制御のためのＴＰＣ
【００１４】
上記では、ＰＵＳＣＨが物理アップリンク共有チャネルを表し、ＰＵＣＣＨが物理アップリンク制御チャネルを表し、ＳＩＭＯが単入力多出力を表し、ＴＸが送信を表し、ＢＣＣＨがブロードキャスト制御チャネルを表し、ＲＡＣＨがランダムアクセスチャネルを表し、ＴＰＣが送信電力制御を表す。
【００１５】
上記の観点から、本ＬＴＥ例によれば、ＰＢＣＨ及び一次及び二次ＳＣＨは、ダウンリンク搬送波に関しては６つのリソースブロック（ＲＢ）の狭い帯域幅を使用して集中するのに対し、ＰＤＣＣＨ、ＰＣＦＩＣＨ及びＰＨＩＣＨは、パラメータＮ＿ＤＬ＿ＲＢによって構成されるように、完全なダウンリンクシステム帯域幅にわたって拡張する。ＰＤＳＣＨ及びＰＭＣＨ割り当て、すなわちデータチャネルの割り当ては、スケジューリングにより制御される。
【００１６】
例えば、上述したような制御チャネルは、従来、完全な利用可能な周波数スペクトルに及ぶ割り当て位置（リソースマッピング）を有するので、任意のダウンリンクシステム帯域幅のスケーリングは実行不可能である。
【００１７】
６ＲＢから最大１１０ＲＢに及ぶＮ＿ＤＬ＿ＲＢの全てのオプションがサポートされる場合、ＬＴＥダウンリンクシステム帯域幅を構成することができる。
【発明の概要】
【発明が解決しようとする課題】
【００１８】
しかしながら、既にＰＤＣＣＨ制御チャネルに使用している以外の別の帯域幅には（特に、ＤＣＩフォーマット０、フォーマット１、又はフォーマット３で）対応することができない。
【００１９】
さらに、現行の仕様（リリース８として公知）によれば、選択したダウンリンク（又はアップリンク）システム帯域幅しかサポートされない。周波数分割二重（ＦＤＤ）のシナリオでは、これらは、例えば、１．４ＭＨｚ、３ＭＨｚ、５ＭＨｚ、１０ＭＨｚ、１５ＭＨｚ、及び２０ＭＨｚである。すなわち、（アップリンク又はダウンリンクにおける）いずれかの制御チャネル及びいずれかのデータチャネルの両方には、これらの６つの標準化された帯域幅のうちの１つしか割り当てることができない。
【００２０】
したがって、標準化されたダウンリンク（又はアップリンク）システム帯域幅は、例えば放出限界の侵害につながる可能性があり（選択範囲が広すぎる場合）、或いは例えば典型的な共存状態で適用される利用可能なスペクトルを十分に利用しない（選択範囲が狭すぎる場合）。この結果、６つのＬＴＥリリース８システム帯域幅の１つなどの標準化されたシステム帯域幅の１つにより、少なくともダウンリンク（又はアップリンク）システム帯域幅を効率的にマッチさせることができないという展開状態が起きる可能性がある。したがって、（ＬＴＥリリース８などの）現行の仕様に基づいて任意のダウンリンク（又はアップリンク）システム帯域幅のスケーリングを実行することはできない。
【００２１】
すなわち、より狭い（普通よりも狭い）標準化ダウンリンク（又はアップリンク）システム帯域幅はスペクトル効率を激減させる一方で、より広い（普通よりも広い）標準化帯域幅の使用は、レギュレータの要件及び放出限界に起因して単純に不可能である。
【００２２】
例えば、ＬＴＥリリース８の無線アクセスネットワークを、４．２ＭＨｚのスペクトルブロックにおいて３ＭＨｚのダウンリンク帯域幅で展開した場合、制御及びデータチャネルに割り当てられるダウンリンク帯域幅はせいぜい３ＭＨｚである（次に高い５ＭＨｚの標準化帯域幅では既に大きすぎるので）。したがって、上記から明らかなように、利用可能な帯域幅よりも狭い帯域幅（或いは帯域幅の組み合わせ）の使用は、アップリンク及びダウンリンクの両方におけるスペクトル効率を低減させる。
【００２３】
このため、主に制御チャネルの（広範に及ぶ）割り当て位置及び限定的な標準化された帯域幅の組への束縛に起因する上記欠点及び要件に対する実行可能な解決策は存在しない。
【課題を解決するための手段】
【００２４】
本発明及びその実施形態は、上述した欠点及び要件の１又はそれ以上に対処するために成すものである。したがって、本発明及びその実施形態は、欠点を緩和するとともに、無線アクセス環境でのリソース割り当てにおける要件を満たすことを意図している。
【００２５】
本発明の例示的な態様によれば、
‐請求項１〜１４のいずれか１項に記載の方法と、
‐請求項１５〜２８のいずれか１項に記載の装置と、
‐請求項２９に記載のコンピュータプログラム製品と、
‐請求項３０〜３８のいずれか１項に記載の方法と、
‐請求項３９〜４６のいずれか１項に記載の装置と、
‐請求項４７に記載のコンピュータプログラム製品と、が開示される。
【００２６】
本発明の例示的な第１の態様によれば、第１の無線アクセス規格に関して標準化された第１の複数の帯域幅の１つを制御チャネルに割り当てるステップと、粒度及び範囲の少なくとも一方に関して第１の複数の帯域幅を上回る、第２の無線アクセス規格に関して標準化された第２の複数の帯域幅の１つをデータチャネルに割り当てるステップとを含む方法が提供される。
【００２７】
本発明のさらなる発展又は修正によれば、以下の１又はそれ以上が適用される。
‐方法が、割り当て済みのデータチャネルの帯域幅領域に端末をスケジューリングするステップをさらに含み、第１の無線アクセス規格に準拠する端末を、第１の無線アクセス規格によりサポートされる第１の複数の帯域幅の帯域幅領域にスケジューリングし、第２の無線アクセス規格に準拠する端末を、第２の無線アクセス規格によりサポートされる第２の複数の帯域幅の帯域幅領域にスケジューリングし、
‐データチャネルの割り当てが、第２の複数の帯域幅のうちの前記１つの割り当て済みの帯域幅を、利用可能な帯域幅スペクトルに調整するステップを含み、
‐データチャネルの割り当てが、スケジューリングすべき端末に固有の制御情報を、第１の無線アクセス規格によりサポートされる第１の複数の帯域幅の帯域幅領域内の少なくとも割り当て済みの制御チャネルに含めるステップを含み、
‐第１の無線アクセス規格に準拠する端末、又は第２の無線アクセス規格に準拠して第１の無線アクセス規格によるリソース割り当て制御方式に適合する端末の制御情報を含めるステップが、第１の無線アクセス規格によりサポートされる第１の複数の帯域幅の帯域幅領域内の割り当て済みのデータチャネルにおけるリソース割り当てのための制御情報を、割り当て済みの制御チャネルに挿入するステップを含み、
‐第２の無線アクセス規格に準拠して第１の無線アクセス規格によるリソース割り当て制御方式に適合しない端末の制御情報を含めるステップが、第２の無線アクセス規格によりサポートされる第２の複数の帯域幅の帯域幅領域内の割り当て済みのデータチャネルにおけるリソース割り当てのための制御情報を、割り当て済みの制御チャネルに挿入するステップを含み、
‐第２の無線アクセス規格に準拠して第１の無線アクセス規格によるリソース割り当て制御方式に適合しない端末の制御情報を含めるステップが、第２の無線アクセス規格によりサポートされる第２の複数の帯域幅の帯域幅領域内の割り当て済みのデータチャネルにおけるリソース割り当てのための制御情報を、少なくとも割り当て済みの制御チャネル及び割り当て済みのデータチャネルに挿入するステップを含み、
‐制御情報が、割り当て済みの制御チャネルで利用できるリソースよりも多くのリソースを必要とする場合、アンカーとして機能する制御情報の第１の部分を制御チャネルに挿入し、アンカーが参照する補強として機能する制御情報の第２の部分をデータチャネルに挿入し、
‐制御情報の第２の部分を、制御チャネルに直接続くデータチャネルの第１の変調記号に挿入し、
‐スケジューリングが、含められた制御情報に基づき、
‐方法が、進化型無線アクセスネットワークで動作でき、及び／又は、
‐第１の無線アクセス規格がロングタームエボリューション仕様のリリース８に基づき、及び／又は第２の無線アクセス規格がロングタームエボリューション仕様のリリース９又は改良型に基づく。
【００２８】
本発明の例示的な第２の態様によれば、第１の無線アクセス規格に関して標準化された第１の複数の帯域幅の１つを制御チャネルに割り当てるように構成された制御チャネルリソースアロケータと、粒度及び範囲の少なくとも一方に関して第１の複数の帯域幅を上回る、第２の無線アクセス規格に関して標準化された第２の複数の帯域幅の１つをデータチャネルに割り当てるように構成された制御チャネルリソースアロケータとを含む装置が提供される。
【００２９】
本発明のさらなる発展又は修正によれば、以下の１又はそれ以上が適用される。
‐装置が、割り当て済みのデータチャネルの帯域幅領域に端末をスケジューリングするように構成されたスケジューラをさらに含み、このスケジューラが、第１の無線アクセス規格に準拠する端末を、第１の無線アクセス規格によりサポートされる第１の複数の帯域幅の帯域幅領域にスケジューリングし、第２の無線アクセス規格に準拠する端末を、第２の無線アクセス規格によりサポートされる第２の複数の帯域幅の帯域幅領域にスケジューリングするように構成され、
‐データチャネルアロケータが、第２の複数の帯域幅のうちの前記１つの割り当て済みの帯域幅を、利用可能な帯域幅スペクトルに調整するように構成されたアジャスタを含み、
‐データチャネルアロケータが、スケジューリングすべき端末に固有の制御情報を、第１の無線アクセス規格によりサポートされる第１の複数の帯域幅の帯域幅領域内の少なくとも割り当て済みの制御チャネルに含めるように構成されたインクルーダを含み、
‐インクルーダが、第１の無線アクセス規格に準拠する端末、又は第２の無線アクセス規格に準拠して第１の無線アクセス規格によるリソース割り当て制御方式に適合する端末に関して、第１の無線アクセス規格によりサポートされる第１の複数の帯域幅の帯域幅領域内の割り当て済みのデータチャネルにおけるリソース割り当てのための制御情報を、割り当て済みの制御チャネルに挿入するように構成された第１のインサータを含み、
‐インクルーダが、第２の無線アクセス規格に準拠して第１の無線アクセス規格によるリソース割り当て制御方式に適合しない端末に関して、第２の無線アクセス規格によりサポートされる第２の複数の帯域幅の帯域幅領域内の割り当て済みのデータチャネルにおけるリソース割り当てのための制御情報を、割り当て済みの制御チャネルに挿入するように構成された第２のインサータを含み、
‐インクルーダが、第２の無線アクセス規格に準拠して第１の無線アクセス規格によるリソース割り当て制御方式に適合しない端末に関して、第２の無線アクセス規格によりサポートされる第２の複数の帯域幅の帯域幅領域内の割り当て済みのデータチャネルにおけるリソース割り当てのための制御情報を、少なくとも割り当て済みの制御チャネル及び割り当て済みのデータチャネルに挿入するように構成された第３のインサータを含み、
‐制御情報が、割り当て済みの制御チャネルで利用できるリソースよりも多くのリソースを必要とする場合、第３のインサータが、アンカーとして機能する制御情報の第１の部分を制御チャネルに挿入し、アンカーが参照する補強として機能する制御情報の第２の部分をデータチャネルに挿入するように構成され、
‐第３のインサータが、制御チャネルに直接続くデータチャネルの第１の変調記号に制御情報の第２の部分を挿入するように構成され、
‐スケジューラが、含められた制御情報に基づいてスケジューリングを行うように構成され、
‐装置が、進化型無線アクセスネットワーク内の基地局及び進化型無線アクセスノードの少なくとも一方を含み、及び／又は、
‐第１の無線アクセス規格がロングタームエボリューション仕様のリリース８に基づき、及び／又は第２の無線アクセス規格がロングタームエボリューション仕様のリリース９又は改良型に基づく。
【００３０】
本発明の例示的な第３の態様によれば、（上述した第２の態様及び／又はその発展及び修正のいずれか一方による）装置のプロセッサ上で実行されたときに、上述した第１の態様及び／又はその発展及び修正のいずれか一方に従う方法を実施するように構成されたプログラムコード手段を含むコンピュータプログラム製品が提供される。
【００３１】
本発明の例示的な第４の態様によれば、第１の無線アクセス規格に関して標準化された第１の複数の帯域幅の１つを割り当てられた制御チャネルを受信するステップと、粒度及び範囲の少なくとも一方に関して第１の複数の帯域幅を上回る、第２の無線アクセス規格に関して標準化された第２の複数の帯域幅の１つを割り当てられたデータチャネル上のデータチャネルの割り当てを、受信した制御チャネルにおいて確認するステップと、確認したデータチャネルの割り当てに基づいてデータチャネル上のデータ送信動作を制御するステップとを含む方法が提供される。
【００３２】
本発明のさらなる発展又は修正によれば、以下の１又はそれ以上が適用される。
‐データチャネルの割り当ての確認が、第１の無線アクセス規格によりサポートされる第１の複数の帯域幅の帯域幅領域内の少なくとも受信した制御チャネルにおける制御情報を取得するステップを含み、
‐取得した制御情報が制御チャネル内に存在する場合、方法が、制御チャネル内の取得した制御情報に基づいてデータチャネルの割り当てを決定するステップを含み、
‐アンカーとして機能する取得した制御情報の第１の部分が制御チャネル内に存在し、アンカーが参照する補強として機能する制御情報の第２の部分がデータチャネル内に存在する場合、方法が、制御チャネル内の取得した制御情報の第１の部分に基づいて、第１の無線アクセス規格によりサポートされる第１の複数の帯域幅の帯域幅領域における部分的なデータチャネルの割り当てを決定するステップと、データチャネル内の取得した制御情報の第２の部分に基づいて、第２の無線アクセス規格によりサポートされる第２の複数の帯域幅の帯域幅領域における完全なデータチャネルの割り当てを決定するステップとを含み、
‐制御情報の第２の部分を、制御チャネルに直接続くデータチャネルの第１の変調記号に挿入し、
‐方法が、進化型無線アクセスネットワークで動作でき、及び／又は、
‐第１の無線アクセス規格がロングタームエボリューション仕様のリリース８に基づき、及び／又は第２の無線アクセス規格がロングタームエボリューション仕様のリリース９又は改良型に基づく。
【００３３】
本発明の例示的な第５の態様によれば、第１の無線アクセス規格に関して標準化された第１の複数の帯域幅の１つを割り当てられた制御チャネルを受信するように構成された受信機と、粒度及び範囲の少なくとも一方に関して第１の複数の帯域幅を上回る、第２の無線アクセス規格に関して標準化された第２の複数の帯域幅の１つを割り当てられたデータチャネル上のデータチャネルの割り当てを、受信した制御チャネルにおいて確認するように構成された確認器と、確認したデータチャネルの割り当てに基づいてデータチャネル上の装置のデータ送信動作を制御するように構成されたコントローラとを含む装置が提供される。
【００３４】
本発明のさらなる発展又は修正によれば、以下の１又はそれ以上が適用される。
‐確認器が、第１の無線アクセス規格によりサポートされる第１の複数の帯域幅の帯域幅領域内の少なくとも受信した制御チャネルにおける制御情報を取得するように構成された取得器を含み、
‐装置が、取得した制御情報に基づいてデータチャネルの割り当てを決定するように構成された第１の決定器をさらに含み、この第１の決定器が、取得した制御情報が制御チャネル内に存在する場合、制御チャネル内の取得した制御情報に基づいてデータチャネルの割り当てを決定するように構成され、
‐装置が、取得した制御情報に基づいてデータチャネルの割り当てを決定するように構成された第２の決定器をさらに含み、この第２の決定器が、アンカーとして機能する取得した制御情報の第１の部分が制御チャネル内に存在し、アンカーが参照する補強として機能する制御情報の第２の部分がデータチャネル内に存在する場合、取得した制御チャネル内の制御情報の第１の部分に基づいて、第１の無線アクセス規格によりサポートされる第１の複数の帯域幅の帯域幅領域における部分的なデータチャネルの割り当てを決定し、取得したデータチャネル内の制御情報の第２の部分に基づいて、第２の無線アクセス規格によりサポートされる第２の複数の帯域幅の帯域幅領域における完全なデータチャネルの割り当てを決定するように構成され、
‐装置が、進化型無線アクセスネットワーク内の移動局及び進化型ユーザ装置の少なくとも一方を含み、及び／又は、
‐第１の無線アクセス規格がロングタームエボリューション仕様のリリース８に基づき、及び／又は第２の無線アクセス規格がロングタームエボリューション仕様のリリース９又は改良型に基づく。
【００３５】
本発明の例示的な第６の態様によれば、（上述した第５の態様及び／又はその発展及び修正のいずれか一方による）装置のプロセッサ上で実行されたときに、上述した第４の態様及び／又はその発展及び修正のいずれか一方に従う方法を実施するように構成されたプログラムコード手段を含むコンピュータプログラム製品が提供される。
【００３６】
上述した態様、発展及び修正のいずれか１つによれば、以下の１又はそれ以上を適用することができる。
‐制御チャネルがダウンリンク制御チャネルであり、データチャネルがダウンリンクデータチャネルであり、
‐制御チャネルが、物理ダウンリンク制御チャネルＰＤＣＣＨ、物理ハイブリッドインジケータチャネルＰＨＩＣＨ、及び物理制御フォーマットインジケータチャネルＰＣＦＩＣＨのうちの少なくとも１つであり、及び／又は、
‐データチャネルが、物理ダウンリンク共有チャネルＰＤＳＣＨ及び物理マルチキャストチャネルＰＭＣＨの少なくとも一方である。
【００３７】
本発明の例示的な実施形態によれば、以前の（機能が制限された）無線アクセス規格と後方互換性のある改良型無線アクセス規格のための粒度が高く柔軟性のある帯域幅調整が実現される。すなわち、（ＬＴＥリリース８などの）第１の規格には、広範に及ぶ制御チャネルの割り当て位置及び限られた数の標準化された帯域幅による束縛という弱点があるが、（ＬＴＥリリース９又は改良型などの）第２の（進化した）規格を適用して、拡張された柔軟性の高いデータチャネル帯域幅の割り当てを実現することができる。
【００３８】
本発明の例示的な実施形態によれば、帯域幅の粒度及び範囲の少なくとも一方に関して拡張されたデータチャネルが提供されると同時に、未拡張の制御チャネルの割り当てを使用することにより後方互換性が実現される。一例として、（利用可能なオペレータ帯域幅などの）柔軟性のあるシステム帯域幅への粒度の高い帯域幅調整をＬＴＥリリース８のフレームワーク内で実現することができ、すなわちＬＴＥリリース８のユーザ装置が同じ無線アクセスネットワーク内で変わらず動作することができる。したがって、開示するリソース割り当てを例示的にダウンリンクに適用することもできる。
【００３９】
以下、添付図面を参照しながら非限定的な例により本発明についてより詳細に説明する。
【図面の簡単な説明】
【００４０】
【図１】本発明の実施形態による一般的方法を示すフロー図である。
【図２】本発明の実施形態によるリソース割り当ての例示的方法を示すフロー図である。
【図３】本発明の実施形態によるダウンリンク制御情報を含める例示的方法を示すフロー図である。
【図４】本発明の実施形態を適用したときの第１の例示的な使用事例に対応するダウンリンクチャネル構造のリソースグリッドを示す概略図である。
【図５】本発明の実施形態を適用したときの第２の例示的な使用事例に対応するダウンリンクチャネル構造のリソースグリッドを示す概略図である。
【図６】本発明の実施形態を適用したときの第３の例示的な使用事例に対応するダウンリンクチャネル構造のリソースグリッドを示す概略図である。
【図７】本発明の実施形態による別の一般的方法を示すフロー図である。
【図８】本発明の実施形態によるダウンリンク制御の例示的方法を示すフロー図である。
【図９】本発明の実施形態による装置を示す概略ブロック図である。
【図１０】本発明の実施形態による別の装置を示す概略ブロック図である。
【発明を実施するための形態】
【００４１】
本明細書では、本発明について特定の非限定的な例を参照しながら説明する。当業者であれば、本発明がこれらの例に限定されず、より広範に適用できるものであることを理解するであろう。
【００４２】
特に、本発明及びその実施形態については、いくつかの例示的なネットワーク構成の非限定的な例として３ＧＰＰ仕様を使用することに関して主に説明する。特に、これに関する非限定的な例として、ＬＴＥ（Ｅ−ＵＴＲＡＮ）無線アクセスネットワーク及び対応する規格（リリース８、リリース９、及びＬＴＥ改良型）を使用する。同様に、本明細書で行う実施形態の説明では、本明細書に直接関係する専門用語を具体的に参照する。このような専門用語は、提示する非限定的な例との関連においてのみ使用するものであり、当然ながら決して本発明を限定するものではない。むしろ、本明細書で説明する特徴に適合する限り、他のあらゆるネットワーク構成又は実施構成を利用することもできる。
【００４３】
以下の説明では、本発明の様々な実施形態及び実施構成及びこれらの態様を、いくつかの代替例を使用して説明している。一般的には、いくつかの必要性及び制約に基づいて、説明する代替例を全て単独で、又は（様々な代替例の個々の特徴の組み合わせも含む）いずれかの考えられる組み合わせで提供することができる。
【００４４】
図１は、本発明の実施形態による一般的方法のフロー図である。
【００４５】
最も一般的に言えば、図１に示す本発明の実施形態による方法は、制御チャネルの割り当て動作（Ｓ１１０）及びデータチャネルの割り当て動作（Ｓ１２０）を含む。動作Ｓ１１０の制御チャネルの割り当てにおいて、第１の無線アクセス規格に関して標準化された第１の複数の帯域幅の１つを制御チャネル（ＰＤＣＣＨなどのダウンリンク制御チャネルなど）に割り当てる。動作Ｓ１２０のデータチャネルの割り当てにおいて、第２の無線アクセス規格に関して標準化された第２の複数の帯域幅の１つをデータチャネル（ＰＤＳＣＨなどのダウンリンクデータチャネルなど）に割り当て、この第２の複数の帯域幅は、粒度及び範囲の少なくとも一方に関して第１の複数の帯域幅を上回る。例えば、第１の無線アクセス規格はＬＴＥリリース８に従うことができ、この場合、標準化される複数の帯域幅は、１．４ＭＨｚ、３ＭＨｚ、５ＭＨｚ、１０ＭＨｚ、１５ＭＨｚ、又は２０ＭＨｚなどを含む。例えば、第２の無線アクセス規格はＬＴＥリリース９又は改良型に従うことができ、標準化される複数の帯域幅は、あらゆる実現可能な利用できる（オペレータ又はシステム）帯域幅を含む。
【００４６】
本実施形態によれば、この方法は、（Ｅ−ＵＴＲＡＮ、ＬＴＥなどの）進化型無線アクセスネットワーク内の基地局又は（ｅノードＢなどの）進化型無線アクセスノードで実施される。この方法は、ダウンリンクの場合にも及びアップリンクの場合にも同様に適用することができる。
【００４７】
ダウンリンクの場合の例として、このように割り当てたＬＴＥダウンリンクシステム帯域幅は、物理ダウンリンク共有チャネル（ＰＤＳＣＨ）のリソースグリッドにおける複数の物理リソースブロック（ＰＲＢ）と同程度の粒度であり得る。したがって、データチャネルを広範に割り当てたにも関わらず、例えばＰＣＦＩＣＨ及びＰＨＩＣＨなどの制御チャネルは、全帯域幅にわたって広がり、１．４ＭＨｚ、３ＭＨｚ、５ＭＨｚ、１０ＭＨｚ、１５ＭＨｚ、又は２０ＭＨｚなどの６つの標準化された帯域幅の１つに従う。
【００４８】
本実施形態（及び以下で説明する他の全ての実施形態）により、次の２つの使用事例を有利に実現することができる。
【００４９】
第１の使用事例（すなわち例示的な応用）として、（ＬＴＥリリース８ネットワークなどの）第１の規格に基づく無線アクセスネットワークを、利用可能な周波数スペクトルをフル活用するために後から移行させることができる。すなわち、ＬＴＥリリース８ネットワークは、４．２ＭＨｚのスペクトルブロック（前のＧＳＭ）における３ＭＨｚのダウンリンク帯域幅で展開される。ネットワークは、データチャネル上で（ＬＴＥリリース８には存在しない）４．２ＭＨｚのダウンリンク帯域幅を提供するＬＴＥリリース９又はＬＴＥ改良型ネットワークに後から移行されるが、制御チャネル帯域幅は依然として３ＭＨｚであるので、同時に３ＭＨｚ帯域幅で既存のＬＴＥリリース８端末もサポートされる。
【００５０】
第２の使用事例（すなわち例示的な応用）として、５ＭＨｚ又は５ＭＨｚ＋３ＭＨｚ（或いは他の効率性の低いダウンリンクシステム帯域幅の組み合わせ）ではなく、むしろ９ＭＨｚなどのダウンリンクシステム帯域幅を提供するＬＴＥリリース９又はＬＴＥ改良型ネットワークにおいてＬＴＥリリース８のローミング端末をサポートすることができる。
【００５１】
図２は、本発明の実施形態によるリソース割り当ての例示的な方法のフロー図であり、ダウンリンクの場合に関して例示的に示すものである。
【００５２】
したがって、図示の実施形態による方法は、制御チャネルの割り当て動作（Ｓ２１０）及びデータチャネルの割り当て動作（Ｓ２２０）を含み、これは図１の実施形態によるそれぞれの動作、及びスケジューリング動作（Ｓ２３０）に対応する。動作のスケジューリングＳ２３０において、端末が、割り当て済みのダウンリンクデータチャネルの帯域幅領域に、上述した（ＬＴＥリリース８などの）第１の無線アクセス規格に準拠する端末が、第１の無線アクセス規格によりサポートされる第１の複数の帯域幅の帯域幅領域（３ＭＨｚなど）にスケジューリングされ、上述した（ＬＴＥリリース９又は改良型などの）第２の無線アクセス規格に準拠する端末が、第２の無線アクセス規格によりサポートされる第２の複数の帯域幅の帯域幅領域（４．２ＭＨｚなど）にスケジューリングされるようにスケジューリングされる。
【００５３】
図２によれば、データチャネルの割り当ての動作Ｓ２２０内に２つのサブ動作も示している。これらの２つのサブ動作は、互いに及び上述したスケジューリング動作とは無関係である。したがって、図２の実施形態によるこれらの３つの特徴を互いに関係なく、すなわちあらゆる考えられる組み合わせで実現することができる。
【００５４】
動作Ｓ２２１によれば、データチャネルの割り当て動作が、第２の複数の帯域幅のうちの前記１つの割り当て済みの帯域幅、すなわち制御チャネルに割り当てた帯域幅を、利用可能な帯域幅スペクトルに調整することを含む。動作Ｓ２２２によれば、データチャネルの割り当て動作が、スケジューリングすべき端末（又はユーザ装置ＵＥ）に固有のダウンリンク制御情報（ＤＣＩ）を、第１の無線アクセス規格によりサポートされる第１の複数の帯域幅の帯域幅領域（３ＭＨｚなど）内の少なくとも割り当て済みのダウンリンク制御チャネル（すなわち、割り当て済みのダウンリンク制御チャネル単独で、又は割り当て済みのダウンリンク制御チャネル及びデータチャネルの両方のいずれか）に含めることを含む。すなわち、割り当て済みのデータチャネルは４．２ＭＨｚなどの帯域幅を有することができるが、制御チャネルは３ＭＨｚの帯域幅しか有さない。以下、動作Ｓ２２２の考えられる実施構成の詳細を図３に関連して説明する。
【００５５】
図３は、本発明の実施形態によるダウンリンク制御情報を含める例示的方法のフロー図である。したがって、図３による方法Ｓ３００を、上記の図２による方法の動作Ｓ２２２のように実施することができる。
【００５６】
図示の実施形態による方法は、ユーザ装置固有のダウンリンク制御情報をダウンリンクチャネルに含めることを実現し、従ってアドレス方式という意味のスケジューリング割り当てを表す。すなわち、ＤＣＩを含める手順は、一方では関与する端末の種類に依存し、他方ではチャネル構造及び機能に依存する。
【００５７】
図３によれば、動作Ｓ３１０において、関与する端末（すなわち、ダウンリンクチャネルの割り当てを行う対象の端末）が、第１の無線アクセス規格に準拠する端末（ＬＴＥリリース８端末など）であるか、或いは第２の無線アクセス規格に準拠するものの第１の無線アクセス規格によるリソース割り当て制御方式に適合する端末（ＬＴＥリリース９又は改良型端末など）であるかがまず識別される。後者は、ＬＴＥリリース９の端末が、ＬＴＥリリース８に基づいて標準化された３ＭＨｚなどの帯域幅が帯域幅割り当てに十分であるという理由で３ＭＨｚの周波数スペクトルで動作する場合に考えられる。関与する端末が、第１の無線アクセス規格によるリソース割り当て制御方式で十分な端末である場合（Ｓ３１０において「はい」の場合）、動作Ｓ３２０において、（ＬＴＥリリース８などの）第１の規格によるダウンリンク制御情報（ＤＣＩ）が、割り当て済みのダウンリンク制御チャネル（ＰＤＣＣＨなど）に挿入される。したがって、このように指定された端末は、ダウンリンクデータチャネルにおいてＬＴＥリリース８などに基づく帯域幅領域（３ＭＨｚなど）を使用することができる。別様に、関与する端末が、第２の無線アクセス規格に準拠して第１の無線アクセス規格によるリソース割り当て制御方式に適合しない端末である場合（Ｓ３１０において「いいえ」の場合）、（ＬＴＥリリース９又は改良型などの）第２の規格によるダウンリンク制御情報（ＤＣＩ）が、割り当て済みのダウンリンク制御チャネル（ＰＤＣＣＨなど）のみに、或いは割り当て済みのダウンリンク制御チャネル（ＰＤＣＣＨなど）及び割り当て済みのダウンリンクデータチャネル（ＰＤＳＣＨなど）の両方に、のいずれかに挿入される。これは、挿入されるダウンリンク制御情報が、基本的にダウンリンク制御チャネルの利用可能なスペース（リソース）に収まるかどうかに依存する。したがって、動作Ｓ３３０において、挿入されるダウンリンク制御情報が、割り当て済みのダウンリンク制御チャネル（ＰＤＣＣＨなど）において利用可能なリソースよりも多くのリソースを必要とするかどうかが識別される。そうである場合（Ｓ３３０において「はい」の場合）、動作Ｓ３４０において、ダウンリンク制御情報（ＤＣＩ）が、一部は割り当て済みのダウンリンク制御チャネル（ＰＤＣＣＨなど）に、一部は割り当て済みのダウンリンクデータチャネル（ＰＤＳＣＨなど）に挿入される。詳細には、アンカーとして機能するダウンリンク制御情報の第１の部分がダウンリンク制御チャネルに挿入され（Ｓ３４１）、アンカーが参照する補強として機能するダウンリンク制御情報の第２の部分がダウンリンクデータチャネルに挿入される（Ｓ３４２）（したがって、端末動作に関連して後述する一種の２段階アプローチにつながる）。したがって、このように指定された端末は、ダウンリンクデータチャネルにおいてＬＴＥリリース９などに基づく帯域幅領域（４．２ＭＨｚなど）を使用することができる。別様に、必要なＤＣＩが、ダウンリンク制御チャネルにおいて利用可能なスペースに収まるほど十分に小さい場合（Ｓ３３０において「いいえ」の場合）、動作Ｓ３５０において、ダウンリンク制御情報（ＤＣＩ）が、割り当て済みのダウンリンク制御チャネル（ＰＤＣＣＨなど）に完全に挿入される。このように指定された端末も、ダウンリンクデータチャネルにおいてＬＴＥリリース９などに基づく帯域幅領域（４．２ＭＨｚなど）を使用することができる。
【００５８】
なお、上述した図２及び図３に従う方法は、例えばＰＵＣＣＨがアップリンク制御チャネルとして機能しＰＵＳＣＨがアップリンクデータチャネルとして機能するアップリンクの場合にも同様に適用される。
【００５９】
以下、図１〜図３のいずれか１つによる本発明の実施形態から得られるダウンリンクチャネル構造のいくつかの例について図４〜図６に関して説明する。図４〜図６では、概略的にリソースグリッドを示しており、列は、それぞれの列に示すチャネル内の１つのＯＦＤＭ記号を表し、例示的な第１の標準帯域幅は３ＭＨｚであり、例示的な第２の標準帯域幅は４．２ＭＨｚである。単純にするために、例示的に１つの制御チャネル要素（ＣＣＥ）に全てのレートマッチングを行うと仮定する。
【００６０】
図４は、第１の例示的な使用事例に対応するダウンリンクチャネル構造のリソースグリッドの概略図であり、基本的に図３の動作Ｓ３５０によるＤＣＩの挿入に対応する。すなわち、拡張されたＤＣＩ（ｅ−ＤＣＩ−１）フォーマットが実現され、これは、（ＬＴＥリリース９などの）第２の規格に基づくＤＣＩ要素を捕捉するために（ＬＴＥリリース８などの）第１の規格に基づく２つのＤＣＩ要素をつなぎ合わせた（すなわち結合した）ものと考えることができる。図示の例では、１つの制御チャネルＰＤＣＣＨ（すなわち、１つのＰＤＤＣＨ  ＯＦＤＭ記号）と、ＬＴＥリリース９又はＬＴＥ改良型端末であるたった１つの端末／ユーザ装置ＵＥ＃１とを含むチャネル構造が考えられる。
【００６１】
図５は、第２の例示的な使用事例に対応するダウンリンクチャネル構造のリソースグリッドの概略図であり、基本的に図３の動作Ｓ３４０によるＤＣＩの挿入に対応する。すなわち、拡張されたＤＣＩ（ｅ−ＤＣＩ−２）フォーマットが実現され、これは、割り当て済みのダウンリンク制御チャネルにおいてアンカーとして機能する、（ＬＴＥリリース８などの）第１の規格に基づく１つのＤＣＩ要素と、割り当て済みのダウンリンクデータチャネルのデータチャネルリソースにおいて補強として機能する、（ＬＴＥリリース９又は改良型などの）第２の規格に基づく追加の専用ＤＣＩ要素とを足したもので構成されると定義される。したがって、図示の例では、２つの制御チャネルＯＦＤＭ記号ＰＤＣＣＨと６つの端末／ユーザ装置ＵＥ＃１〜６とを含むチャネル構造が考えられ、ＵＥ＃１、２、６はＬＴＥリリース９又はＬＴＥ改良型端末であり、ＵＥ＃３〜５はＬＴＥリリース８端末である。
【００６２】
図６は、第３の例示的な使用事例に対応するダウンリンクチャネル構造のリソースグリッドの概略図であり、基本的に図３の動作Ｓ３４０によるＤＣＩの挿入に対応する。すなわち、図５に関連して上述したように定義される拡張されたＤＣＩ（ｅ−ＤＣＩ−２）フォーマットが実現される。したがって、図示の例では、３つの制御チャネルＰＤＣＣＨ（すなわち、３つのＰＤＣＣＨ  ＯＦＤＭ記号）と７つの端末／ユーザ装置ＵＥ＃１〜６を含むチャネル構造が考えられ、ＵＥ＃１及びＵＥ＃７はＬＴＥリリース９又はＬＴＥ改良型端末であり、ＵＥ＃２〜６はＬＴＥリリース８端末である。
【００６３】
図５及び図６から明らかなように、１つの例として、拡張型ＤＣＩフォーマットの第２の部分は、制御チャネルＰＤＣＣＨに続く（ＰＤＳＣＨ  ＯＦＤＭ記号などの）第１の制御チャネル変調記号内に存在することができる。
【００６４】
図５及び図６では、依然として狭いＬＴＥダウンリンクシステム帯域幅限界（ここでは３ＭＨｚ）内にあるＬＴＥ搬送波帯域幅の端部において、ｅ−ＤＣＩ−２情報の第２の部分にＰＤＳＣＨを使用していることが分かる。この結果、ＬＴＥリリース９又はＬＴＥ改良型端末は端部へ向けて割り当てられ、恐らく次のＰＤＳＣＨ  ＯＦＤＭ記号では、より広いＬＴＥダウンリンクシステム帯域幅の限界（ここでは４．２ＭＨｚ）へと拡張する。ＬＴＥリリース８端末しか存在しない場合には、より広い帯域幅を活用することはできない。ＬＴＥリリース９又はＬＴＥ改良型端末が存在する場合、より広い帯域幅を使用してセル容量を増加させ、及び／又はより大きなダウンリンクピークデータレートを新たな端末に提供する一方で、依然としてＬＴＥリリース８端末もサポートすることができる。この結果、ＬＴＥリリース８端末は、３ＭＨｚ（ＰＤＳＣＨ）チャネルを認知し、ＬＴＥリリース９又はＬＴＥ改良型端末は４．２ＭＨｚ（ＰＤＳＣＨ）チャネルを認知する。
【００６５】
なお、図示のダウンリンクチャネル構造に類似するアップリンクチャネル構造を、本発明の対応する実施形態から同様に得ることができる。
【００６６】
換言すれば、本発明の非限定的な実施形態は（本明細書で使用するＬＴＥ例に関して）以下の特徴を含む。
‐ＰＤＣＣＨのＬＴＥリリース９の帯域幅を、ＬＴＥリリース８の標準的帯域幅によりサポートされているものと同程度に広げることができる。
‐ＬＴＥリリース９のＰＢＣＨ、ＬＴＥリリース９の一次同期及びＬＴＥリリース９の二次同期チャネルはＬＴＥリリース８と同じままであり、ＰＨＩＣＨ及びＰＣＦＩＣＨは、ＬＴＥリリース８及びＬＴＥリリース９／ＬＴＥ改良型に同じ方法で使用される。
‐ＬＴＥリリース８によれば、１から最大３までのＯＦＤＭ記号が、ＰＤＣＣＨ、及びＬＴＥリリース８に関して標準化されたＬＴＥリリース８ＤＣＩに対してサポートされ、新しいＬＴＥリリース９のＤＣＩによれば、ＬＴＥリリース９又はＬＴＥ改良型端末に対してサポートされる。ＬＴＥリリース９又はＬＴＥ改良型端末の割り当てが、ＬＴＥリリース８の割り当てと異ならず、或いは（１、２、４、又は８のＣＣＥにレートマッチされる）規則的なＬＴＥリリース８ＤＣＩ方式に適合しない場合、ＬＴＥリリース９又はＬＴＥ改良型端末のためのダウンリンク制御情報は、いずれかが（１、２、４、又は８のＣＣＥにレートマッチされる）ＬＴＥリリース８ＤＣＩ方式に適合することができる。後者の例では、システムが完全にロードされていない場合、ＬＴＥリリース９又はＬＴＥ改良型のための新たな拡張されたＤＣＩ（ｅ−ＤＣＩ−１）フォーマットが２つのＬＴＥリリース８ＤＣＩを結合してｅ−ＤＣＩ−１フォーマットを捕捉することができる。別様に、システムが完全にロードされてＰＤＣＣＨリソースが不足している場合、ＤＣＩアンカーとしての１つのＬＴＥリリース８ＤＣＩ、及びＰＤＣＣＨにおけるＤＣＩ情報の第１の部分とＤＣＩ情報の第２の部分のための追加の専用ＰＤＳＣＨリソースとを足したものから構成されるＬＴＥリリース９又はＬＴＥ改良型端末のための代替の拡張されたＤＣＩフォーマット（ｅ−ＤＣＩ−２）を定義することができる。
‐このような方法を実施するｅノードＢ又は基地局は、全てのＬＴＥリリース８端末をＰＤＳＣＨのためのＬＴＥリリース８サポートの帯域幅（ここでは３ＭＨｚを中心とする）に、及び全てのＬＴＥリリース９又はＬＴＥ改良型端末をＬＴＥリリース９又はＬＴＥ改良型ＰＤＳＣＨの搬送波帯域幅（ここでは４．２ＭＨｚを中心とする）にスケジューリングする。
【００６７】
図７は、本発明の実施形態による別の一般的方法のフロー図である。
【００６８】
最も一般的には、図７に示す本発明の実施形態による方法は、受信動作（Ｓ７１０）、確認動作（Ｓ７２０）及び制御動作（Ｓ７３０）を含む。動作Ｓ７１０において、（ＬＴＥリリース８などの）第１の無線アクセス規格に関して標準化された第１の複数の帯域幅の１つを割り当てられた制御チャネル（ＰＤＣＣＨなどのダウンリンク制御チャネルなど）を受信する。動作Ｓ７２０において、（ＬＴＥリリース９又は改良型などの）第２の無線アクセス規格に関して標準化された第２の複数の帯域幅の１つを割り当てられたデータチャネル（ＰＤＳＣＨなどのダウンリンクデータチャネルなど）上のデータチャネルの割り当てを、受信した制御チャネルにおいて確認する。この結果、本実施形態によれば、第２の複数の帯域幅が、粒度及び範囲の少なくとも一方に関して第１の複数の帯域幅を上回る。動作Ｓ７３０において、確認したデータチャネルの割り当てに基づいて、（ＰＤＳＣＨなどのダウンリンクデータチャネルのようなダウンリンク送信の場合）データチャネル上のデータ送信動作を制御する。例えば、第１の無線アクセス規格はＬＴＥリリース８に従うことができ、この場合、標準化される複数の帯域幅は、１．４ＭＨｚ、３ＭＨｚ、５ＭＨｚ、１０ＭＨｚ、１５ＭＨｚ、又は２０ＭＨｚなどを含む。例えば、第２の無線アクセス規格はＬＴＥリリース９又は改良型に従うことができ、標準化される複数の帯域幅は、あらゆる実現可能な利用できる（オペレータ又はシステム）帯域幅を含む。したがって、この及び以下の実施形態に基づくチャネル構造及び機能は、以前の実施形態に基づくものに対応する。
【００６９】
本実施形態によれば、この方法は、（Ｅ−ＵＴＲＡＮ、ＬＴＥなどの）進化型無線アクセスネットワーク内の移動局及び進化型ユーザ装置で実施される。
【００７０】
図８は、ダウンリンクの場合のために例示的に設定した本発明の実施形態によるダウンリンク制御の例示的な方法のフロー図である。
【００７１】
したがって、図８による図示の実施形態によれば、受信動作（Ｓ８１０）、識別動作（Ｓ８２０）及び制御動作（Ｓ８３０）が、基本的に図７の実施形態によるそれぞれの動作に対応する。図８では、確認動作Ｓ８２０の実施構成をより詳細に示している。
【００７２】
本実施形態によれば、確認動作が、第１の無線アクセス規格によりサポートされる第１の複数の帯域幅の帯域幅領域内の少なくとも受信したダウンリンク制御チャネル内のダウンリンク制御情報（ＤＣＩ）を取得するステップ（Ｓ８２１）を含む。このＤＣＩ取得は、基本的にネットワーク側において動作Ｓ２２２及びＳ３００のいずれか一方によりこのようなＤＣＩを含めることに対応するものを構成する。したがって、次に来る取得したダウンリンク制御情報に基づくダウンリンクデータチャネルの割り当ての決定は、基本的にネットワーク側における動作Ｓ３１０〜Ｓ３５０のいずれか１つによる挿入動作及び挿入されるＤＣＩフォーマットの種類に対応する。
【００７３】
すなわち、図８による動作Ｓ８２２において、取得したダウンリンク制御情報が、ダウンリンク制御チャネル（のみ）に存在するかどうかが識別される。そうである場合（Ｓ８２２において「はい」の場合）、ダウンリンクデータチャネルの割り当てが、ダウンリンク制御チャネル（ＰＤＣＣＨなど）における（ｅ−ＤＣＩ−１などの）このような取得したダウンリンク制御情報に基づいて（１段階で）決定される。本方法を実行する装置が第２の規格（すなわち、ＬＴＥリリース９又は改良型端末）に準拠すると仮定した場合、上記が適用される。そうでない場合（Ｓ８２２において「いいえ」の場合）、すなわちアンカーとして機能する取得したダウンリンク制御情報の第１の部分がダウンリンク制御チャネル内に存在し、アンカーが参照する補強として機能するダウンリンク制御情報の第２の部分がダウンリンクデータチャネル内に存在する場合、上述したようにダウンリンクデータチャネルの割り当てが２段階方式で決定される。すなわち、第１段階（Ｓ８２４）において、ダウンリンク制御チャネル内のダウンリンク制御情報の取得した第１の部分に基づいて、第１の無線アクセス規格によりサポートされる第１の複数の帯域幅の帯域幅領域における部分的なダウンリンクデータチャネルの割り当てが決定される。次に、第２段階（Ｓ８２５）において、ダウンリンクデータチャネル内のダウンリンク制御情報の取得した第２の部分に基づいて、第２の無線アクセス規格によりサポートされる第２の複数の帯域幅の帯域幅領域における完全なダウンリンクデータチャネルの割り当てが決定される。
【００７４】
例えば、上述したｅ−ＤＣＩ−２フォーマットをＬＴＥリリース９又はＬＴＥ改良型端末に使用した場合、後者はまず、ＤＣＩアンカー及びＰＤＣＣＨ内のＤＣＩ情報の第１の部分を介してその（３ＭＨｚの限界の）部分的なＰＤＳＣＨ割り当てを確認し、次にＰＤＣＣＨに続く第１のＰＤＳＣＨ  ＯＦＤＭ記号内に例示的に存在するｅ−ＤＣＩ−２情報の第２の部分からその（４．２ＭＨｚの限界の）完全なＰＤＳＣＨ割り当てを確認する。
【００７５】
本発明の例示的な実施形態によれば、図７のＳ７３０又は図８のＳ８３０による制御動作が以下を含む。例えば、ＬＴＥリリース８端末の受信機は、（ＬＴＥリリース８に基づく２０ＭＨｚの最大帯域幅から）ベースバンドに直接変換を行い、次に本明細書で使用する例示的なシナリオに基づいて、デジタルフィルタリングにより３ＭＨｚ帯域幅のチャネルまでフィルタリングを行う。一方、ＬＴＥリリース９又は改良型端末の受信機は、（ＬＴＥリリース９、すなわちオペレータ帯域幅に基づく最大帯域幅から）ベースバンドに直接変換を行い、次にデジタルフィルタリングにより３ＭＨｚのＰＤＣＣＨ制御チャネル（及び例えばｅ−ＤＣＩ−２フォーマットに対する第１のＰＤＳＣＨ  ＯＦＤＭ記号）に、さらに４．２のＭＨｚＰＤＳＣＨチャネルにフィルタリングを行う（すなわち２段階方式）。
【００７６】
なお、例えばＰＵＣＣＨがアップリンク制御チャネルとして機能し、ＰＵＳＣＨがアップリンクデータチャネルとして機能するアップリンクの場合にも、図８による上述の方法を同様に適用することができる。
【００７７】
本発明の実施形態の上述の実施形態では、主に方法、手順及び機能に関して説明しているが、本発明の対応する実施形態は、ソフトウェア及び／又はハードウェアの両方を含むそれぞれの装置、ネットワークノードも対象とする。
【００７８】
以下、図９及び図１０を参照しながら本発明のそれぞれの例示的な実施形態について説明するが、簡潔にするために、図１〜図３及び図７〜図８によるそれぞれの対応する方法及び動作の詳細な説明をそれぞれ参照されたい。また、これに関して、例示ではあるが非限定的な例としてダウンリンクの場合について説明しているが、アップリンクの場合にも類似の特徴が当てはまる。
【００７９】
図９は、本発明の実施形態による装置の概略図である。図示の装置は、例えば、（ＬＴＥ、Ｅ−ＵＴＲＡＮなどの）進化型無線アクセスネットワーク内の基地局又は（ｅノードＢなどの）進化型無線アクセスノードにおいて、或いはこれらによって実現することができる。したがって、このような基地局又は（ｅノードＢなどの）進化型無線アクセスノードは、それぞれの実施形態の対応するソフトウェア実施構成を実行することができる特定の機械を表す。
【００８０】
図９では、実線のブロックが、基本的に上記図１による一般的方法を実施するように構成され、破線のブロックは任意と見なされる。実線ブロック及び破線ブロックが全体として、基本的にそれぞれ上記図２及び図３のいずれか一方による方法を実施するように構成される。
【００８１】
すなわち、図９によれば、図示の装置は、制御チャネルリソースアロケータ９１０及びデータチャネルリソースアロケータ９２０を含む。一般的に言えば、制御チャネルリソースアロケータ９１０は、第１の無線アクセス規格に関して標準化された第１の複数の帯域幅の１つを（ダウンリンク）制御チャネルに割り当てるための手段を表し、すなわち図１のＳ１１０又は図２のＳ２１０に基づく動作を行う。データチャネルリソースアロケータ９２０は、粒度及び範囲の少なくとも一方に関して第１の複数の帯域幅を上回る、第２の無線アクセス規格に関して標準化された第２の複数の帯域幅の１つを（ダウンリンク）データチャネルに割り当てるための手段を表し、すなわち図１のＳ１２０又は図２のＳ２２０に基づく動作を行う。本装置はまた、図２の動作Ｓ２３０によるスケジューリングのための手段を表すスケジューラ９３０も任意に含む。
【００８２】
図９によれば、データチャネルリソースアロケータ９２０が、（図２の動作Ｓ２２１による）第２の複数の帯域幅のうちの１つの割り当て済みの帯域幅を、利用可能な帯域幅スペクトルに調整する手段を表すアジャスタ９２１と、（図２のＳ２２２及び図３のＳ３１０〜Ｓ３５０による）スケジューリングすべき端末に固有の（ダウンリンク）制御情報を、第１の無線アクセス規格によりサポートされる第１の複数の帯域幅の帯域幅領域内の少なくとも割り当てられた（ダウンリンク）制御チャネルに含める手段を表すインクルーダ９２２とのうち少なくとも一方を任意に含む。詳細には、インクルーダ９２２は、図３のＳ３１０及びＳ３３０による識別動作を実施する手段を表す識別器９２３を任意に含む。識別器９２３により生じた識別結果に応じて、インクルーダ９２２の第１のインサータ９２４、第２のインサータ９２５及び第３のインサータ９２６のうちの１つが動作するようになる。第１のインサータ９２４は、図３の動作Ｓ３２０による（ダウンリンク）制御情報（すなわち、ＬＴＥリリース８ＤＣＩなど）の挿入を実施する手段を表す。第２のインサータ９２５は、図３の動作Ｓ３４０、Ｓ３４１及びＳ３４２による（ダウンリンク）制御情報（すなわち、ｅ−ＤＣＩ−２）の挿入を実施する手段を表す。第３のインサータ９２６は、図３の動作Ｓ３５０による（ダウンリンク）制御情報（すなわち、ｅ−ＤＣＩ−１）の挿入を実施する手段を表す。
【００８３】
図１０は、本発明の実施形態による別の装置の概略図である。図示の装置は、例えば、（ＬＴＥ、Ｅ−ＵＴＲＡＮなどの）進化型無線アクセスネットワーク内の移動局又は進化型ユーザ装置（ＵＥ）において、或いはこれらによって実装することができる。したがって、このような移動局又はユーザ装置は、それぞれの実施形態の対応するソフトウェア実施構成を実行することができる特定の機械を表す。
【００８４】
図１０では、実線のブロックが、基本的に上記図７による一般的方法を実施するように構成され、破線のブロックは任意と見なされる。実線ブロック及び破線ブロックが全体として、基本的に上記図８による方法を実施するように構成される。
【００８５】
すなわち、図１０によれば、図示の装置は、受信機１０１０と、確認器１０２０と、コントローラ１０３０とを含む。一般的に言えば、受信機１０１０は、第１の無線アクセス規格に関して標準化された第１の複数の帯域幅の１つを割り当てられた（ダウンリンク）制御チャネルを受信する手段を表し、すなわち図７のＳ７１０又は図８のＳ８１０による動作を行う。確認器１０２０は、粒度及び範囲の少なくとも一方に関して第１の複数の帯域幅を上回る、第２の無線アクセス規格に関して標準化された第２の複数の帯域幅の１つを割り当てられた（ダウンリンク）データチャネルにおける（ダウンリンク）データチャネルの割り当てを、受信した（ダウンリンク）制御チャネルにおいて確認する手段を表し、すなわち図７のＳ７２０又は図８のＳ８２０からＳ８２５による動作を行う。さらに、コントローラ１０３０は、確認した（ダウンリンク）データチャネルの割り当てに基づいて（ダウンリンク）データチャネル上の装置の（ダウンリンク）データ送信動作を制御する手段を表し、すなわち図７のＳ７３０又は図８のＳ８３０による動作を行う。
【００８６】
図１０によれば、確認器１０２０が、（図８の動作Ｓ８２１による）第１の無線アクセス規格によりサポートされる第１の複数の帯域幅の帯域幅領域内の少なくとも受信した（ダウンリンク）制御チャネルにおける（ダウンリンク）制御情報を取得する手段を表す取得器１０２１を任意に含む。さらに、取得器１０２１に関連して、確認器１０２０は、図８のＳ８２２による識別動作を行う手段を表す識別器１０２２を任意に含む。識別器１０２２により生じた識別結果に応じて、確認器１０２０の第１の決定器１０２３及び第２の決定器１０２４の一方が動作するようになる。第１の決定器１０２３は、図８の動作Ｓ８２３による（ダウンリンク）データチャネルの割り当ての決定（すなわち、１段階めの決定）を実施する手段を表す。第２の決定器１０２４は、図８の動作Ｓ８２４及びＳ８２５による（ダウンリンク）データチャネルの割り当ての決定（すなわち、２段階めの決定）を実施する手段を表す。
【００８７】
上記図９及び図１０のブロック図では以下の点に留意されたい。個々のブロックは、それぞれの機能、処理又は手順をそれぞれ実施するそれぞれの機能ブロックを示すものである。このような機能ブロックは実施構成とは無関係であり、すなわちあらゆる種類のハードウェア又はソフトウェアによりそれぞれ実施することができる。個々のブロックを相互接続する線は、これらの間の動作結合を示すように意図するものであり、一方では（有線又は無線などの）実施構成と無関係であり、他方では図示していない任意の数の中間機能エンティティを含むことができる。
【００８８】
図９及び図１０では、これらの機能ブロックのみを示しており、これらは上述した方法、手順及び機能のいずれか１つに関する。当業者であれば、電源、中央処理装置などのそれぞれの構造配列の動作に必要な他のあらゆる従来の機能ブロックが存在することも認めていると見なされる。
【００８９】
なお、一般に、上述の態様に基づくそれぞれの機能ブロック又は要素は、それぞれの部分の説明した機能のみを実施するようになっている場合、あらゆる公知の手段によりハードウェア及び／又はソフトウェアのいずれかにおいてそれぞれ実現することができる。言及した方法ステップは、個々の機能ブロックにおいて又は個々の装置により実現することができ、或いは方法ステップの１又はそれ以上を、単一の機能ブロックにおいて又は単一の装置により実現することもできる。
【００９０】
さらに、ソフトウェアコード部分として実装される可能性が高く、エンティティの１つにおいてプロセッサを使用して実行される方法ステップ及び機能は独立したソフトウェアコードであり、例えば、Ｊａｖａ（登録商標）、Ｃ＋＋、Ｃ、及びアセンブラなどのいずれかの公知の又は将来開発されるプログラミング言語を使用して指定することができる。エンティティの１つにおいてハードウェアコンポーネントとして実装される可能性が高い方法ステップ及び／又は装置又は手段は独立したハードウェアであり、ＭＯＳ、ＣＭＯＳ、ＢｉＣＭＯＳ、ＥＣＬ、ＴＴＬなどの、いずれかの公知の又は将来開発されるハードウェア技術又はこれらのいずれかの混合を使用して、例えば一例としてＡＳＩＣコンポーネント又はＤＳＰコンポーネントを使用して実現することができる。一般に、いずれの方法ステップも、本発明の発想を変えることなくソフトウェアとして又はハードウェアにより実装するのに適している。装置及び手段を個々の装置として実現することができるが、これは、装置の機能が保持される限り、これらがシステム全体を通じて分散方式で実現されることを除外するものではない。これらの及び同様の原理は、当業者にとって既知であると考えるべきである。
【００９１】
本説明の意味におけるソフトウェアは、それぞれの機能を実施するためのコード手段、及びそれぞれのデータ構造又はコード部分を記憶するコンピュータ可読記憶媒体などの有形媒体上で具体化され、或いは潜在的にその処理中に信号又はチップ内で具体化されるソフトウェア（或いはコンピュータプログラム又はコンピュータプログラム製品）を含むようなソフトウェアコードを含む。
【００９２】
一般に、本明細書で上述した発明では、以下の点に留意されたい。
‐アクセス技術は、ユーザ装置が（基地局又は一般的にはアクセスノードを介して）アクセスネットワークにアクセスできるようにするいずれの技術であってもよい。ＷＬＡＮ（無線ローカルアクセスネットワーク）、ＷｉＭＡＸ（ワールドワイド・インターオペラビリティ・フォー・マイクロウェーブ・アクセス）、ＢｌｕｅＴｏｏｔｈ、赤外線などのいずれかの現在の又は将来の技術を使用することができ、上記の技術は、ほとんどが異なる無線スペクトルなどにおける無線アクセス技術であるが、本発明の意味におけるアクセス技術は、ケーブルネットワーク又は固定回線のようなＩＰベースのアクセス技術のみならず回線交換アクセス技術などのワイヤーバウンド技術も示唆することができ、アクセス技術は、パケット交換及び回線交換などの少なくとも２つのカテゴリ又はアクセスドメインに識別することができるが、２よりも多くのアクセスドメインが存在しても、これに本発明が適用されるのを妨げることはなく、
‐アクセスネットワークは、局、エンティティ又はその他のユーザ装置をアクセスネットワークが提供するサービスに接続し、及び／又はこれらを利用できるようにするいずれの機器、装置、ユニット又は手段であってもよく、このようなサービスは、とりわけデータ及び／又は（音声）視覚コミュニケーション、データダウンロードなどを含み、
‐ユーザ装置は、携帯電話、携帯情報端末（ＰＤＡ）、又はコンピュータなどの、システムユーザがアクセスネットワークからのサービスを経験できるようにするいずれの機器、装置、ユニット又は手段であってもよく、
‐ソフトウェアコード部分として実装される可能性が高く（その機器、装置及び／又はモジュールの例としての、或いはそのための装置及び／又はモジュールを含むエンティティの例としての）ネットワーク要素又は端末においてプロセッサを使用して実行される方法ステップは独立したソフトウェアコードであり、方法ステップにより定義される機能が保持される限り、いずれかの公知の又は将来開発されるプログラミング言語を使用して指定することができ、
‐一般に、いずれの方法ステップも、実現される機能の点で本発明の発想を変えることなくソフトウェアとして又はハードウェアにより実装するのに適しており、
‐端末又はネットワーク要素においてハードウェアコンポーネント又はそのいずれかのモジュールとして実装される可能性が高い方法ステップ及び／又は機器、装置、ユニット又は手段は独立したハードウェアであり、ＭＯＳ（金属酸化膜半導体）、ＣＭＯＳ（相補型ＭＯＳ）、ＢｉＭＯＳ（バイポーラＭＯＳ）、ＢｉＣＭＯＳ（バイポーラＣＭＯＳ）、ＥＣＬ（エミッタ結合論理）、ＴＴＬ（トランジスタ−トランジスタ論理）などの、いずれかの公知の又は将来開発されるハードウェア技術又はこれらのいずれかの混合を使用して、例えば、ＡＳＩＣ（特定用途向けＩＣ（集積回路））コンポーネント、ＦＰＧＡ（フィールドプログラマブルゲートアレイ）コンポーネント、ＣＰＬＤ（結合プログラマブル論理回路）コンポーネント又はＤＳＰ（デジタルシグナルプロセッサ）コンポーネントを使用して実現することができ、また、ソフトウェアコンポーネントとして実装される可能性の高いあらゆる方法ステップ及び／又は装置、ユニット又は手段は、認証、許可、キーイング及び／又はトラフィック保護などが可能ないずれかのセキュリティアーキテクチャに基づくことができ、
‐機器、装置、ユニット又は手段を個々の機器、装置、ユニット又は手段として実装することができるが、これは、機器、装置、ユニット又は手段の機能が保持される限り、これらがシステム全体を通じて分散方式で実装されることを除外するものではなく、
‐装置を、半導体チップ、チップセット、或いはこれらのチップ又はチップセットを含む（ハードウェア）モジュールによって表すことができるが、これは、装置又はモジュールの機能が、ハードウェアの実施構成ではなくプロセッサ上で実行／実施するための実行可能なソフトウェアコード部分を含むコンピュータプログラム又はコンピュータプログラム製品などの（ソフトウェア）モジュール内のソフトウェアとして実現される可能性を除外するものではなく、
‐装置を、互いに機能的に連携するか、或いは例えば互いに機能的には独立しているが同じ装置のハウジング内に存在するかどうかにより、１つの装置として、或いは２以上の装置のアセンブリとして見なすことができる。
【００９３】
本発明はまた、上述した方法及び構造配列の概念を適用できる限り、上述した方法ステップ及び動作のあらゆる考えられる組み合わせ、及び上述したノード、装置、モジュール又は要素のあらゆる考えられる組み合わせを含む。
【００９４】
第１の無線アクセス規格に関して標準化された第１の複数の帯域幅の１つを制御チャネルに割り当てるステップと、粒度及び範囲の少なくとも一方に関して第１の複数の帯域幅を上回る、第２の無線アクセス規格に関して標準化された第２の複数の帯域幅の１つをデータチャネルに割り当てるステップとを含む粒度が高く後方互換性のあるリソース割り当てを提供する。開示したリソース割り当てを例示的にダウンリンクに適用することもできる。
【００９５】
以上、添付図面に基づく例を参照しながら本発明について説明したが、本発明はこれらの例に限定されるものではない。むしろ、当業者には、本明細書に開示した本発明の概念の範囲から逸脱することなく、本発明を多くの方法で修正できることが明らかである。
【図１】
0005458098.tif 000002
【図２】
0005458098.tif 000003
【図３】
0005458098.tif 000004
【図７】
0005458098.tif 000005
【図８】
0005458098.tif 000006
【図９】
0005458098.tif 000007
【図１０】
0005458098.tif 000008
【図４】
0005458098.tif 000009
【図５】
0005458098.tif 000010
【図６】
0005458098.tif 000011